(57)【特許請求の範囲】
【請求項１】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
各被写体の識別情報に対応する撮影枚数を所定のタイミングで表示する表示部と、
前記撮影画像及び前記撮影画像から抽出された抽出顔画像に基づいていずれの被写体が主要被写体であるかを判断する主要被写体判断部と、
前記被写体光に基づいて合焦位置を検出する合焦検出部と、
前記合焦検出部による前記合焦位置の検出の開始を指示する入力操作を受け付ける合焦指示部と、
を備え、
前記合焦検出部は前記合焦指示部が前記指示の入力操作を受け付けたことに応じて前記合焦位置を検出し、
前記表示部は前記合焦検出部が前記合焦位置を検出したタイミングで前記主要被写体判断部が前記主要被写体と判断した被写体の識別情報に対応する撮影枚数を表示する撮像装置。
【請求項２】
前記主要被写体判断部は前記合焦位置の近傍から抽出された抽出顔画像で識別される被写体を主要被写体と判断する請求項１に記載の撮像装置。
【請求項３】
前記登録部は前記被写体の個人情報を前記被写体の識別情報と対応づけて前記データベースに登録し、
前記表示部は前記主要被写体判断部が前記主要被写体と判断した被写体の個人情報を前記撮影枚数とともに表示する請求項１〜２のいずれかに記載の撮像装置。
【請求項４】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
各被写体の識別情報に対応する撮影枚数を所定のタイミングで表示する表示部と、
前記撮影画像及び前記撮影画像から抽出された抽出顔画像に基づいていずれの被写体が主要被写体であるかを判断する主要被写体判断部と、
前記主要被写体判断部による判断を実行するか否かの設定を受け付ける主要被写体判断設定部と、
を備え、
前記主要被写体判断部は前記主要被写体判断設定部が前記判断を実行すると設定した場合に前記主要被写体を判断する撮像装置。
【請求項５】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
各被写体の識別情報に対応する撮影枚数を所定のタイミングで表示する表示部と、
撮影枚数を通知する撮影枚数通知モードへの移行を設定するモード設定部と、
所望の被写体の識別情報の選択を受け付ける識別情報選択部と、
を備え、
前記登録部は各被写体の個人情報を各被写体の識別情報と対応づけて前記データベースに登録し、
前記表示部は前記モード設定部が前記撮影枚数通知モードへの移行を設定したことに応じて前記撮影枚数を表示し、
前記表示部は各被写体の識別情報に対応する撮影枚数を所定の順序で一覧表示し、
前記表示部は前記識別情報選択部によって選択された被写体の識別情報に対応する識別用顔画像、個人情報及び／又は選択された被写体の識別情報に対応する抽出顔画像の抽出された撮影画像を表示する撮像装置。
【請求項６】
前記撮影画像及び前記選択された被写体の識別情報に対応する抽出顔画像に基づいていずれの撮影画像が前記被写体を主要被写体とするかを判断する主要被写体判断部をさらに備え、
前記表示部は前記被写体を主要被写体とすると判断した撮影画像をその他の撮影画像と区別して表示する請求項５に記載の撮像装置。
【請求項７】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
各被写体の最小の撮影枚数を規定する最小撮影枚数を各被写体の識別情報と対応づけて設定する最小撮影枚数設定部と、
前記最小撮影枚数に達しない撮影枚数に対応する被写体が存在する旨の警告を行う通知部と、
を備える撮像装置。
【請求項８】
前記被写体の撮影終了予定時刻を設定する終了時刻設定部をさらに備え、
前記通知部は前記終了時刻設定部の設定した時刻までに前記警告を行う請求項７に記載の撮像装置。
【請求項９】
前記被写体光に基づいて合焦位置を検出する合焦検出部と、
前記合焦検出部による前記合焦位置の検出の開始を指示する入力操作を受け付ける合焦指示部と、
をさらに備え、
前記合焦検出部は前記合焦指示部が前記指示の入力操作を受け付けたことに応じて前記合焦位置を検出し、
前記通知部は前記合焦検出部が前記合焦位置を検出したタイミングで前記警告を行う請求項７に記載の撮像装置。
【請求項１０】
前記撮影画像及び前記撮影画像から抽出された抽出顔画像に基づいていずれの被写体が主要被写体であるかを判断する主要被写体判断部をさらに備え、
前記通知部は前記主要被写体判断部が前記主要被写体であると判断した被写体の識別情報に対応する撮影枚数が前記最小撮影枚数に達していないことに応じて前記警告を行う請求項７に記載の撮像装置。
【請求項１１】
前記登録部は各被写体の個人情報を各被写体の識別情報と対応づけて前記データベースに登録し、
前記通知部は前記撮影枚数が最小撮影枚数に達しない被写体の個人情報を通知することで前記警告を行う請求項７〜１０のいずれかに記載の撮像装置。
【請求項１２】
前記抽出顔画像に存在する目が開いているか又は閉じているかを判断する目開閉検出部をさらに備え、
前記撮影枚数計算部は前記目開閉検出部が前記目が閉じていると判断した抽出顔画像である不適切顔画像が抽出された撮影画像を前記不適切顔画像に対応する撮影枚数の計算の対象から除外する請求項１〜１１のいずれかに記載の撮像装置。
【請求項１３】
前記目開閉検出部による判断を実行するか否かの設定を受け付ける目開閉判断設定部をさらに備え、
前記目開閉検出部は前記目開閉判断設定部が前記判断を実行すると設定した場合に前記抽出顔画像に存在する目が開いているか又は閉じているかを判断する請求項１２に記載の撮像装置。
【請求項１４】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
前記抽出顔画像が所定の大きさであるか否かを判断する顔サイズ判断部と、
を備え、
前記撮影枚数計算部は前記顔サイズ判断部が前記所定の大きさでないと判断した抽出顔画像である不適切画像が抽出された撮影画像を前記不適切画像に対応する撮影枚数の総計の対象から除外する撮像装置。
【請求項１５】
前記顔サイズ判断部による判断を実行するか否かの設定を受け付ける顔サイズ判断設定部をさらに備え、
前記顔サイズ判断部は前記顔サイズ判断設定部が前記判断を実行すると設定した場合に  前記抽出顔画像が所定の大きさであるか否かを判断する請求項１４に記載の撮像装置。
【請求項１６】
前記撮影枚数計算部は前記撮影画像が記憶又は削除されたタイミング若しくは前記識別用顔画像が登録又は削除されたタイミングで前記撮影枚数を計算する請求項１〜１５のいずれかに記載の撮像装置。
【請求項１７】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置であって、
前記記憶部に記憶された画像データの中から、被写体の顔を識別する基準となる画像データである識別用顔画像を被写体の識別情報と対応づけてデータベースに登録する登録部と、
前記Ａ／Ｄ変換部から出力されて前記記憶部に記憶された所望の画像データである撮影画像から人物の顔部分の領域である顔画像を抽出する顔画像抽出部と、
前記顔画像抽出部の抽出した顔画像である抽出顔画像に適合する識別用顔画像を前記データベースから特定する特定部と、
各被写体の識別情報に対応する識別用顔画像と適合する抽出顔画像が抽出された撮影画像の総数である撮影枚数を被写体の識別情報ごとに計算する撮影枚数計算部と、
前記顔画像抽出部が前記顔画像を抽出する対象とする撮影画像の範囲を指定する範囲指定部と、
を備え、
前記顔画像抽出部は前記範囲指定部によって指定された範囲の撮影画像から前記顔画像を抽出する撮像装置。
【請求項１８】
外部の電子機器から前記識別用顔画像を入力する入力部をさらに備え、
前記記憶部は前記入力部に入力された識別用顔画像を記憶する請求項１〜１７のいずれかに記載の撮像装置。
【請求項１９】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
各被写体の識別情報に対応する撮影枚数を所定のタイミングで表示するステップと、
前記撮影画像及び前記撮影画像から抽出された抽出顔画像に基づいていずれの被写体が主要被写体であるかを判断するステップと、
前記被写体光に基づいて合焦位置を検出するステップと、
前記合焦位置の検出の開始を指示する入力操作を受け付けるステップと、
前記指示の入力操作を受け付けたことに応じて前記合焦位置を検出するステップと、
前記合焦位置を検出したタイミングで前記主要被写体と判断した被写体の識別情報に対応する撮影枚数を表示するステップと、
を含む撮影枚数管理方法。
【請求項２０】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
各被写体の識別情報に対応する撮影枚数を所定のタイミングで表示するステップと、
前記撮影画像及び前記撮影画像から抽出された抽出顔画像に基づいていずれの被写体が主要被写体であるかを判断するステップと、
前記判断を実行するか否かの設定を受け付けるステップと、
前記判断を実行すると設定した場合に前記主要被写体を判断するステップと、
を含む撮影枚数管理方法。
【請求項２１】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
各被写体の識別情報に対応する撮影枚数を所定のタイミングで表示するステップと、
撮影枚数を通知する撮影枚数通知モードへの移行を設定するステップと、
所望の被写体の識別情報の選択を受け付けるステップと、
各被写体の個人情報を各被写体の識別情報と対応づけて前記データベースに登録するステップと、
前記撮影枚数通知モードへの移行を設定したことに応じて前記撮影枚数を表示するステップと、
各被写体の識別情報に対応する撮影枚数を所定の順序で一覧表示するステップと、
前記選択された被写体の識別情報に対応する識別用顔画像、個人情報及び／又は選択された被写体の識別情報に対応する抽出顔画像の抽出された撮影画像を表示するステップと、
を含む撮影枚数管理方法。
【請求項２２】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
各被写体の最小の撮影枚数を規定する最小撮影枚数を各被写体の識別情報と対応づけて設定するステップと、
前記最小撮影枚数に達しない撮影枚数に対応する被写体が存在する旨の警告を行うステップと、
を含む撮影枚数管理方法。
【請求項２３】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
前記抽出顔画像が所定の大きさであるか否かを判断するステップと、
前記所定の大きさでないと判断した抽出顔画像である不適切画像が抽出された撮影画像を前記不適切画像に対応する撮影枚数の総計の対象から除外するステップと、
を含む撮影枚数管理方法。
【請求項２４】
撮影レンズを介して入射した被写体光を受光して撮像信号に変換して出力する撮像素子、前記撮像素子から出力された撮像信号を画像データに変換して出力するＡ／Ｄ変換部、少なくとも前記Ａ／Ｄ変換部の出力した画像データを記憶する記憶部を備える撮像装置で用いられる撮影枚数管理方法であって、
前記記憶部に記憶された画像データの中から、被写体の顔を識別する基準となる画像データである識別用顔画像を被写体の識別情報と対応づけてデータベースに登録するステップと、
前記Ａ／Ｄ変換部から出力されて前記記憶部に記憶された所望の画像データである撮影画像から人物の顔部分の領域である顔画像を抽出するステップと、
前記抽出した顔画像である抽出顔画像に適合する識別用顔画像を前記データベースから特定するステップと、
各被写体の識別情報に対応する識別用顔画像と適合する抽出顔画像が抽出された撮影画像の総数である撮影枚数を被写体の識別情報ごとに計算するステップと、
前記顔画像を抽出する対象とする撮影画像の範囲を指定するステップと、
前記指定された範囲の撮影画像から前記顔画像を抽出するステップと、
を含む撮影枚数管理方法。
【請求項２５】
請求項１９〜２４のいずれかに記載の撮影枚数管理方法を前記撮像装置に実行させる撮影枚数管理プログラム。
【発明の詳細な説明】
【技術分野】
【０００１】
本発明は撮像装置における特定の被写体の撮影枚数をユーザに通知する技術に関する。
【背景技術】
【０００２】
従来、撮影した画像に誰が写っているかをユーザに把握させる技術が存在する。例えば特許文献１のデジタルカメラは、画像を取り込むように構成されたフォト・センサと、名前と人物に関する顔識別情報とを格納するために用いられる顔データベースにアクセスする手段と、取り込んだ画像を評価して顔を探し出し、探し出した顔と顔データベースに格納された顔識別情報とをマッチングするように構成されたプロセッサと、画像内の人の顔と現時点で顔データベースに格納されている顔が一致しないとき、その人物の名前を要求するように構成された、ユーザと通信する手段と、を含む。
【特許文献１】特開２００４−６２８６８号公報
【発明の開示】
【発明が解決しようとする課題】
【０００３】
ところで、学校行事などのイベントにおいては、被写体として撮影したい人物、例えば生徒・児童を、いずれも漏れなく均一に、またはどの被写体も一定枚数以上撮影できるようにしたいニーズがある。この点、特許文献１の技術では、所定回数以上検出された顔に名前を付与するよう要求するだけであり、撮影枚数を均一にすることには役立たない。
【０００４】
本発明はこのような問題点に鑑みてなされたもので、被写体ごとの撮影枚数を管理することで、被写体ごとの撮影枚数の偏りを可及的に防ぐことを目的とする。
【課題を解決するための手段】
【０００５】
上述の課題を解決するため、本発明に係る撮像装置は、撮影レンズを介して入射した被写体光を受光して撮像信号に変換して出力する撮像素子、撮像素子から出力された撮像信号を画像データに変換して出力するＡ／Ｄ変換部、少なくともＡ／Ｄ変換部の出力した画像データを記憶する記憶部を備え、記憶部に記憶された画像データの中から、被写体の顔を識別する基準となる画像データである識別用顔画像を被写体の識別情報と対応づけてデータベースに登録する登録部と、Ａ／Ｄ変換部から出力されて記憶部に記憶された所望の画像データである撮影画像から人物の顔部分の領域である顔画像を抽出する顔画像抽出部と、顔画像抽出部の抽出した顔画像である抽出顔画像に適合する識別用顔画像をデータベースから特定する特定部と、各被写体の識別情報に対応する識別用顔画像と適合する抽出顔画像が抽出された撮影画像の総数である撮影枚数を被写体の識別情報ごとに計算する撮影枚数計算部と、を備える。
【０００６】
本発明に係る撮像装置によると、被写体となるべき個々人の顔画像を予め登録しておけば、各顔画像に適合する顔画像の抽出された撮影画像の撮影枚数が計算される。この撮影枚数をＬＣＤなどで表示したり、あるいは音声で通知するなどすれば、どの被写体を何枚撮影したのかが容易に把握できる。このため、被写体によっては所望の撮影枚数が得られていない、若しくは全然撮影されていないといった、被写体による撮影枚数の偏りの発生を可及的に防止できる。
【０００７】
各被写体の識別情報に対応する撮影枚数を所定のタイミングで表示するとよい。所定のタイミングとは、撮影開始の前後、具体的にはレリーズスイッチの半押し時、全押し後、撮影モードの設定時、撮影モードの設定解除時や、撮影枚数を確認する所定のモード移行時などである。
【０００８】
撮影画像及び撮影画像から抽出された抽出顔画像に基づいていずれの被写体が主要被写体であるかを判断する主要被写体判断部をさらに備えてもよい。
【０００９】
また、撮影枚数計算部は主要被写体判断部が主要被写体であると判断した被写体の抽出顔画像が抽出された撮影画像の総数である主要被写体撮影枚数を計算し、表示部は主要被写体撮影枚数を所定のタイミングで表示するようにしてもよい。
【００１０】
即ち、主要被写体である撮影画像の枚数に限って表示すれば、主要被写体として写っている撮影画像の数が分かり、便利である。
【００１１】
被写体光に基づいて合焦位置を検出する合焦検出部と、合焦検出部による合焦位置の検出の開始を指示する入力操作を受け付ける合焦指示部と、をさらに備え、合焦検出部は合焦指示部が指示の入力操作を受け付けたことに応じて合焦位置を検出し、表示部は合焦検出部が合焦位置を検出したタイミングで主要被写体判断部が主要被写体と判断した被写体の識別情報に対応する撮影枚数を表示するようにしてもよい。
【００１２】
ここで、主要被写体判断部は合焦位置の近傍から抽出された抽出顔画像で識別される被写体を主要被写体と判断するとよい。あるいは、抽出顔画像が撮影画像中の所定位置、例えば中心付近に存在していれば、主要被写体であると判断してもよい。
【００１３】
さらに、合焦した主要被写体についての撮影枚数表示を合焦位置の検出時に行えば、今まさに撮像しようとしている被写体の撮影枚数をそのタイミングで把握でき、被写体ごとの撮影枚数の偏りを防ぐのに役立つ。
【００１４】
登録部は被写体の個人情報を被写体の識別情報と対応づけてデータベースに登録し、表示部は主要被写体判断部が主要被写体と判断した被写体の個人情報を撮影枚数とともに表示すると好ましい。
【００１５】
個人情報とは、具体的には、氏名、年齢、性別、所属等、個人の識別に役立つ情報の一切を含む。合焦した主要被写体についての合焦位置の検出時に行えば、今まさに撮像しようとしている被写体が誰であるかをそのタイミングで把握でき、被写体ごとの撮影枚数の偏りを防ぐのに役立つ。
【００１６】
主要被写体判断部による判断を実行するか否かの設定を受け付ける主要被写体判断設定部をさらに備え、主要被写体判断部は主要被写体判断設定部が判断を実行すると設定した場合に主要被写体を判断する。
【００１７】
即ち、主要被写体判断部による判断を実行するか否かは、主要被写体判断設定部によって任意に設定できる。
【００１８】
撮影枚数を通知する撮影枚数通知モードへの移行を設定するモード設定部をさらに備え、表示部はモード設定部が撮影枚数通知モードへの移行を設定したことに応じて撮影枚数を表示するようにしてもよい。
【００１９】
モード設定部は、スイッチ、タッチパネルその他の操作手段で構成するとよい。
【００２０】
表示部は各被写体の識別情報に対応する撮影枚数を所定の順序、例えば撮影枚数の多い順や少ない順で一覧表示するとよい。こうすると、どの被写体の撮影枚数が少ないか多いかが一目瞭然で分かる。
【００２１】
登録部は各被写体の個人情報を各被写体の識別情報と対応づけてデータベースに登録することが好ましい。
【００２２】
また、所望の被写体の識別情報の選択を受け付ける識別情報選択部をさらに備え、表示部は識別情報選択部によって選択された被写体の識別情報に対応する識別用顔画像、個人情報及び／又は選択された被写体の識別情報に対応する抽出顔画像の抽出された撮影画像を表示すると好ましい。
【００２３】
こうすれば、所望の被写体の詳細な個人情報を、その被写体の撮影枚数とともに確認でき、どの被写体に撮影枚数の偏りや過不足が生じているのかを正確に把握できる。
【００２４】
撮影画像及び選択された被写体の識別情報に対応する抽出顔画像に基づいていずれの撮影画像が被写体を主要被写体とするかを判断する主要被写体判断部をさらに備え、表示部は被写体を主要被写体とすると判断した撮影画像をその他の撮影画像と区別して表示する。
【００２５】
こうすれば、所望の被写体が主要被写体として写っている撮影画像とそうでない撮影画像とを一目瞭然で区別できる。
【００２６】
各被写体の最小の撮影枚数を規定する最小撮影枚数を各被写体の識別情報と対応づけて設定する最小撮影枚数設定部と、最小撮影枚数に達しない撮影枚数に対応する被写体が存在する旨の警告を行う通知部と、をさらに備えてもよい。
【００２７】
被写体の撮影終了予定時刻を設定する終了時刻設定部をさらに備え、通知部は終了時刻設定部の設定した時刻までに警告を行ってもよい。
【００２８】
撮影が終わるまでに所定の枚数の撮影が終わっていない被写体が存在する旨を警告すれば、後になって撮影枚数の偏りが是正できないという事態が生じる不都合を可及的に防止できる。
【００２９】
被写体光に基づいて合焦位置を検出する合焦検出部と、合焦検出部による合焦位置の検出の開始を指示する入力操作を受け付ける合焦指示部と、をさらに備え、合焦検出部は合焦指示部が指示の入力操作を受け付けたことに応じて合焦位置を検出し、通知部は合焦検出部が合焦位置を検出したタイミングで警告を行う。
【００３０】
合焦位置を検出したタイミングで警告を行えば、今まさに撮像しようとしているときに特定の被写体の撮影枚数が規定枚数に足りていないことを把握でき、被写体ごとの撮影枚数の偏りを防ぐのに役立つ。
【００３１】
撮影画像及び撮影画像から抽出された抽出顔画像に基づいていずれの被写体が主要被写体であるかを判断する主要被写体判断部をさらに備え、通知部は主要被写体判断部が主要被写体であると判断した被写体の識別情報に対応する撮影枚数が最小撮影枚数に達していないことに応じて警告を行う。
【００３２】
主要被写体となっている被写体の撮影枚数が規定枚数に達していない旨の警告を行えば、今まさに撮像しようとしている被写体の撮影枚数が規定枚数に足りていないことを把握でき、被写体ごとの撮影枚数の偏りを防ぐのに役立つ。
【００３３】
登録部は各被写体の個人情報を各被写体の識別情報と対応づけてデータベースに登録し、通知部は撮影枚数が最小撮影枚数に達しない被写体の個人情報を通知することで警告を行うことが好ましい。
【００３４】
こうすると、撮影者は、撮影枚数に達しない被写体の個人情報を入手でき、どの被写体の撮影枚数が足らないのかを正確に把握でき、特に、被写体が多数の場合は効果的である。
【００３５】
ここで、抽出顔画像に存在する目が開いているか又は閉じているかを判断する目開閉検出部をさらに備え、撮影枚数計算部は目開閉検出部が目が閉じていると判断した抽出顔画像である不適切顔画像が抽出された撮影画像を不適切顔画像に対応する撮影枚数の計算の対象から除外するとよい。
【００３６】
目を閉じた画像を撮影枚数から排除することで、偏りをなくす対象となる撮影画像を適切な画像に限ることができる。
【００３７】
ここで、目開閉検出部による判断を実行するか否かの設定を受け付ける目開閉判断設定部をさらに備え、目開閉検出部は目開閉判断設定部が判断を実行すると設定した場合に抽出顔画像に存在する目が開いているか又は閉じているかを判断するようにしてもよい。
【００３８】
即ち、目開閉検出部による判断を実行するか否かは、目開閉判断設定部によって任意に設定できる。
【００３９】
また、抽出顔画像が所定の大きさであるか否かを判断する顔サイズ判断部をさらに備え、撮影枚数計算部は顔サイズ判断部が所定の大きさでないと判断した抽出顔画像である不適切画像が抽出された撮影画像を不適切画像に対応する撮影枚数の総計の対象から除外するとよい。
【００４０】
所定のサイズに満たない抽出顔画像を含んだ撮影画像を撮影枚数から排除することで、偏りをなくす対象となる撮影画像を適切な画像に限ることができる。
【００４１】
顔サイズ判断部による判断を実行するか否かの設定を受け付ける顔サイズ判断設定部をさらに備え、顔サイズ判断部は顔サイズ判断設定部が判断を実行すると設定した場合に抽出顔画像が所定の大きさであるか否かを判断するようにしてもよい。
【００４２】
即ち、顔サイズ判断部による判断を実行するか否かは、顔サイズ判断部によって任意に設定できる。
【００４３】
撮影枚数計算部は撮影画像が記憶又は削除されたタイミング若しくは識別用顔画像が登録又は削除されたタイミングで撮影枚数を計算するとよい。
【００４４】
こうすると、撮影画像が新規に記憶されたこと又は削除されたことに応じて撮影枚数を最新の状態に保てる。
【００４５】
顔抽出部が顔画像を抽出する対象とする撮影画像の範囲を指定する範囲指定部をさらに備え、顔抽出部は範囲指定部によって指定された範囲の撮影画像から顔画像を抽出する。
【００４６】
外部の電子機器から識別用顔画像を入力する入力部をさらに備え、記憶部は入力部に入力された識別用顔画像を記憶してもよい。
【００４７】
即ち、識別用顔画像とする画像データは、Ａ／Ｄ変換部から出力された画像データに限る必要性はなく、外部のサーバやカメラなどの各種電子機器から入力してもよい。
【００４８】
本発明に係る撮影枚数管理方法は、撮影レンズを介して入射した被写体光を受光して撮像信号に変換して出力する撮像素子、撮像素子から出力された撮像信号を画像データに変換して出力するＡ／Ｄ変換部、少なくともＡ／Ｄ変換部の出力した画像データを記憶する記憶部を備える撮像装置で用いられる撮影枚数管理方法であって、記憶部に記憶された画像データの中から、被写体の顔を識別する基準となる画像データである識別用顔画像を被写体の識別情報と対応づけてデータベースに登録するステップと、Ａ／Ｄ変換部から出力されて記憶部に記憶された所望の画像データである撮影画像から人物の顔部分の領域である顔画像を抽出するステップと、顔画像抽出部の抽出した顔画像である抽出顔画像に適合する識別用顔画像をデータベースから特定するステップと、各被写体の識別情報に対応する識別用顔画像と適合する抽出顔画像が抽出された撮影画像の総数である撮影枚数を被写体の識別情報ごとに計算するステップと、を含む。
【００４９】
本発明に係る撮影枚数管理プログラムは、撮影レンズを介して入射した被写体光を受光して撮像信号に変換して出力する撮像素子、撮像素子から出力された撮像信号を画像データに変換して出力するＡ／Ｄ変換部、少なくともＡ／Ｄ変換部の出力した画像データを記憶する記憶部、演算装置を備える撮像装置で用いられる撮影枚数管理プログラムであって、
記憶部に記憶された画像データの中から、被写体の顔を識別する基準となる画像データである識別用顔画像を被写体の識別情報と対応づけてデータベースに登録するステップと、
Ａ／Ｄ変換部から出力されて記憶部に記憶された所望の画像データである撮影画像から人物の顔部分の領域である顔画像を抽出するステップと、
顔画像抽出部の抽出した顔画像である抽出顔画像に適合する識別用顔画像をデータベースから特定するステップと、
各被写体の識別情報に対応する識別用顔画像と適合する抽出顔画像が抽出された撮影画像の総数である撮影枚数を被写体の識別情報ごとに計算するステップと、
を演算装置に実行させる。
【００５０】
演算装置としては、ＣＰＵ（中央処理装置）、ＡＳＩＣなど、各種の回路を用いることが可能である。
【発明の効果】
【００５１】
本発明によると、被写体となるべき個々人の顔画像を予め登録しておけば、各顔画像に適合する顔画像の抽出された撮影画像の撮影枚数が計算される。この撮影枚数をＬＣＤなどで表示したり、あるいは音声で通知するなどすれば、どの被写体を何枚撮影したのかが容易に把握できる。このため、被写体によっては所望の撮影枚数が得られていない、若しくは全然撮影されていないといった、被写体による撮影枚数の偏りの発生を可及的に防止できる。
【発明を実施するための最良の形態】
【００５２】
以下、添付した図面を参照し本発明の好ましい実施の形態を説明する。
【００５３】
図１は、本発明の好ましい実施形態に係るデジタルカメラ（以下カメラと略す）１００の正面図である。
【００５４】
カメラ１００の正面に配備されたレンズ鏡胴６０には、ズームレンズ１０１ａ及びフォーカスレンズ１０１ｂを含む撮影レンズ１０１が内蔵されており、ズームレンズ１０１ａを光軸方向に移動させることで焦点距離調節が行なわれるとともに、フォーカスレンズ１０１ｂを光軸方向に移動させることによりピント調節が行なわれる。
【００５５】
レンズ鏡筒６０は、カメラボディ１８０に沈胴した状態から、予め設定された最短焦点距離位置であるワイド端と最長焦点距離位置であるテレ端との間で進退することで、カメラボディ１８０から繰り出し、また収納される。この図では、レンズ鏡胴６０がカメラボディ１８０に沈胴した状態が示されている。
【００５６】
またカメラ１００には、非撮影時には撮影レンズ１０１の前面を覆って撮像レンズ１０１と外界とを遮ることで撮像レンズ１０１を保護する状態をつくり出すとともに、撮像時には撮像レンズを外界に露出するレンズカバー６１が設けられている。
【００５７】
レンズカバー６１は開閉自在な機構で構成されており、開放状態で撮影レンズ１０１の前面を覆い、閉鎖状態で撮影レンズ１０１の前面を外界に露出する。レンズカバー６１は電源スイッチ１２１のオン／オフに連動して開放／閉鎖される。この図ではレンズカバー６１は開放状態となっている。
【００５８】
カメラ１００の上面には、中央部分にレリーズスイッチ１０４の配備されたモードダイヤル１２３と電源スイッチ１２１とが配備されており、正面には、ストロボ１０５ａ、ＡＦ補助光ランプ１０５ｂ、セルフタイマランプ１０５ｃ等が配備されている。
【００５９】
図２はカメラ１００の背面図である。カメラ１００の背面には、ズームスイッチ１２７が配備されている。ズームスイッチ１２７のワイド（Ｗ）側を押すと、押し続けている間、レンズ鏡胴６０がワイド端（望遠）側に繰り出し、テレ（Ｔ）側の他方を押すと、押し続けている間、レンズ鏡胴６０がテレ端（広角）側に移動する。
【００６０】
カメラ１００の背面には、画像表示ＬＣＤ１０２、切替レバー１２２、十字キー１２４、情報位置指定キー１２６等も設けられている。十字キー１２４は、上下左右がそれぞれ表示明るさ調整／セルフタイマ／マクロ撮影／ストロボ撮影を設定する操作系である。後述するが、十字キー１２４の下キーを押下することで、セルフタイマ回路８３の計時完了後にメインＣＰＵ２０がＣＣＤ１３２にシャッタ動作を行わせるセルフ撮影モードの設定を行える。
【００６１】
図３はカメラ１００のブロック図である。カメラ１００にはユーザがこのカメラ１００を使用するときに種々の操作を行なうための操作部１２０が設けられている。この操作部１２０には、カメラ１００を作動させるための電源投入用の電源スイッチ１２１、撮影・再生・後述する一覧再生を自在に切り替える切替レバー１２２、オート撮影やマニュアル撮影等を選択するためのモードダイヤル１２３、各種のメニューの設定や選択あるいはズームを行なうための十字キー１２４、閃光発光用スイッチ１２５、および十字キー１２４で選択されたメニューの実行やキャンセル等を行なうための情報位置指定キー１２６が備えられている。
【００６２】
また、カメラ１００には、撮影画像や再生画像等を表示するための画像表示ＬＣＤ１０２と、操作の手助けを行なうための操作ＬＣＤ表示１０３が備えられている。
【００６３】
このカメラ１００にはレリーズスイッチ１０４が配備されている。このレリーズスイッチ１０４によって撮影の開始指示がメインＣＰＵ２０へと伝えられる。このカメラ１００では切替レバー１２２によって撮影と再生と後述する「一覧モード」の切り替えが自在になっていて、撮影を行なうときにはユーザによって切替レバー１２２が撮影側に切り替えられ、再生を行なうときには切替レバー１２２が再生側に切り替えられ、「一覧モード」を行うときには切替レバー１２２が「一覧」側に切り替えられる。また、カメラ１００には、閃光を発光する閃光発光管１０５ａを有する閃光発光装置が配備されている。
【００６４】
また、カメラ１００には、撮影レンズ１０１と、絞り１３１と、それら撮影レンズ１０１および絞り１３１を経由して結像された被写体像をアナログの画像信号に変換する撮像素子であるＣＣＤセンサ１３２（以下ＣＣＤ１３２と略記する）とが備えられている。ＣＣＤ１３２は、詳細には、そのＣＣＤ１３２に照射された被写体光により発生した電荷を可変の電荷蓄積時間（露光期間）の間蓄積することにより画像信号を生成するものである。ＣＣＤ１３２からは、ＣＧ部１３６から出力される垂直同期信号ＶＤに同期したタイミングでフレーム毎の画像信号が順次出力される。
【００６５】
撮像素子にＣＣＤ１３２を用いた場合には、色偽信号やモアレ縞等の発生を防止するために、入射光内の不要な高周波成分を除去する光学的ローパスフィルタ１３２ａが配設されている。また、入射光内の赤外線を吸収若しくは反射して、長波長域で感度が高いＣＣＤセンサ１３２固有の感度特性を補正する赤外カットフィルタ１３２ｂが配設されている。光学的ローパスフィルタ１３２ａ及び赤外カットフィルタ１３２ｂの具体的な配設の態様は特に限定されない。
【００６６】
また、カメラ１００には、ＣＣＤセンサ１３２からのアナログ画像信号が表わす被写体像のホワイトバランスを合わせるとともにその被写体像の階調特性における直線の傾き（γ）を調整し、さらにアナログ画像信号を増幅する増幅率可変の増幅器を含む白バランス・γ処理部１３３が備えられている。
【００６７】
さらに、カメラ１００には、白バランス・γ処理部１３３からのアナログ信号をディジタルのＲ，Ｇ，Ｂ画像データにＡ／Ｄ変換するＡ／Ｄ変換部１３４と、そのＡ／Ｄ変換部１３４からのＲ，Ｇ，Ｂ画像データを格納するバッファメモリ１３５が備えられている。
【００６８】
本実施形態では、Ａ／Ｄ変換部１３４は、８ビットの量子化分解能を有し、白バランス・γ処理部１３３から出力されるアナログＲ，Ｇ，Ｂ撮像信号をレベル０〜２５５のＲ，Ｇ，Ｂデジタル画像データに変換して出力する。ただし、この量子化分解能はあくまで一例であって本発明に必須の値ではない。
【００６９】
また、カメラ１００には、ＣＧ（クロックジェネレータ）部１３６と、測光・測距用ＣＰＵ１３７と、充電・発光制御部１３８と、通信制御部１３９と、ＹＣ処理部１４０と、電源電池６８とが備えられている。
【００７０】
ＣＧ部１３６は、ＣＣＤセンサ１３２を駆動するための垂直同期信号ＶＤ，高速掃き出しパルスＰを含む駆動信号、白バランス・γ処理部１３３，Ａ／Ｄ変換部１３４を制御する制御信号、および通信制御部１３９を制御する制御信号を出力する。また、このＣＧ部１３６には、測光・測距用ＣＰＵ１３７からの制御信号が入力される。
【００７１】
測光・測距用ＣＰＵ１３７は、ズーム用モータ１１０、フォーカス用モータ１１１、絞り調整を行う絞り用モータ１１２を制御してズームレンズ１０１ａ、フォーカスレンズ１０１ｂ、絞り１３１をそれぞれ駆動することにより測距を行ない、ＣＧ部１３６および充電・発光制御部１３８を制御する。ズーム用モータ１１０、フォーカス用モータ１１１、絞り用モータ１１２の駆動は、モータドライバ６２によって制御され、モータドライバ６２の制御コマンドは、測光・測距用ＣＰＵ１３７あるいはメインＣＰＵ２０から送られる。
【００７２】
測光・測距用ＣＰＵ１３７は、レリーズスイッチ１０４が半押し（Ｓ１オン）されると、ＣＣＤ１３２によって周期的（１／30秒から１／60秒ごと）に得られる画像データに基づいて被写体の明るさの測光（ＥＶ値の算出）を行う。
【００７３】
即ち、ＡＥ演算部１５１は、Ａ／Ｄ変換部１３４から出力されたＲ、Ｇ、Ｂの画像信号を積算し、その積算値を測光・測距用ＣＰＵ１３７に提供する。測光・測距用ＣＰＵ１３７は、ＡＥ演算部１５１から入力する積算値に基づいて被写体の平均的な明るさ（被写体輝度）を検出し、撮影に適した露出値（ＥＶ値）を算出する。
【００７４】
そして、測光・測距用ＣＰＵ１３７は、得られたＥＶ値に基づいて絞り１３１の絞り値（Ｆ値）及びＣＣＤ１３２の電子シャッタ（シャッタスピード）を含む露出値を所定のプログラム線図にしたがって決定する（ＡＥ動作）。
【００７５】
レリーズスイッチ１０４が全押し（Ｓ２オン）されると、測光・測距用ＣＰＵ１３７は、その決定した絞り値に基づいて絞り１３１を駆動し、絞り１３１の開口径を制御するとともに、決定したシャッタスピードに基づき、ＣＧ１３６を介してＣＣＤ１３２での電荷蓄積時間を制御する。
【００７６】
ＡＥ動作は、絞り優先ＡＥ，シャッタ速度優先ＡＥ，プログラムＡＥなどがあるが、いずれにおいても、被写体輝度を測定し、この被写体輝度の測光値に基づいて決められた露出値、すなわち絞り値とシャッタスピードとの組み合わせで撮影を行うことにより、適正な露光量で撮像されるように制御しており、面倒な露出決定の手間を省くことができる。
【００７７】
ＡＦ検出部１５０は、測光・測距ＣＰＵ１３７により選定された検出範囲に対応する画像データをＡ／Ｄ変換部１３４から抽出する。焦点位置を検出する方法は、合焦位置で画像データの高周波成分が最大振幅になるという特徴を利用して行う。ＡＦ検出部１５０は、抽出された画像データの高周波成分を１フィールド期間積分することにより、振幅値を算出する。ＡＦ検出部１５０は、測光・測距ＣＰＵ１３７がフォーカス用モータ１１１を駆動制御してフォーカスレンズ１０１ａを可動範囲内、即ち無限遠側の端点（ＩＮＦ点）から至近側の端点（ＮＥＡＲ点）の間で移動させている間に順次振幅値の計算を実行し、最大振幅を検出した時に検出値を測光・測距ＣＰＵ１３７に送信する。
【００７８】
測光・測距ＣＰＵ１３７は、この検出値を取得して対応する合焦位置に、フォーカスレンズ１０１ｂを移動させるようにフォーカス用モータ１１１に指令を出す。フォーカス用モータ１１１は、測光・測距ＣＰＵ１３７の指令に応じてフォーカスレンズ１０１ｂを合焦位置に移動させる（ＡＦ動作）。
【００７９】
測光・測距用ＣＰＵ１３７は、メインＣＰＵ２０とのＣＰＵ間通信によってレリーズスイッチ１０４と接続されており、ユーザによりレリーズスイッチ１０４が半押しされた時に、この合焦位置の検出が行われる。また、測光・測距用ＣＰＵ１３７には、ズーム用モータ１１０が接続されており、メインＣＰＵ２０が、ズームスイッチ１２７によってユーザからのＴＥＬＥ方向又はＷＩＤＥ方向へのズームの指令を取得した場合に、ズーム用モータ１１０を駆動させることにより、ズームレンズ１０１ａをＷＩＤＥ端とＴＥＬＥ端との間で移動させる。
【００８０】
充電・発光制御部１３８は，閃光発光管１０５ａを発光させるために電源電池６８からの電力の供給を受けて図示しない閃光発光用のコンデンサを充電したり、その閃光発光管１０５ａの発光を制御する。
【００８１】
充電・発光制御部１３８は，電源電池６８の充電開始、レリーズスイッチ１０４の半押し・全押し操作信号等の各種の信号や、発光量、発光タイミングを示す信号をメインＣＰＵ２０や測光・測距ＣＰＵ１３７から取り込んだことに応じ、セルフタイマランプ１０５ｃやＡＦ補助光１０５ｂへの電流供給制御を行い、所望の発光量が所望のタイミングで得られるように制御する。
【００８２】
具体的には、メインＣＰＵ２０あるいは測光・測距ＣＰＵ１３７から充電・発光制御部１３８へハイ（Ｈ）レベルの信号が入力されると、セルフタイマランプ１０５ｃは通電状態となり点灯する。一方、充電・発光制御部１３８へロー（Ｌ）レベルの信号が入力されると、セルフタイマランプ１０５ｃは非通電状態となり消灯する。
【００８３】
メインＣＰＵ２０あるいは測光・測距ＣＰＵ１３７は、Ｈ・Ｌレベル信号の出力時間の比率（デューティ比）を変化させて設定することでセルフタイマランプ１０５ｃの輝度（明るさ）を変化させる。
【００８４】
なお、セルフタイマランプ１０５ｃはＬＥＤで構成してもよく、ＡＦ補助光ランプ１０５ｂを構成するＬＥＤと共通にしてもよい。
【００８５】
メインＣＰＵ２０には、セルフタイマ回路８３が接続されている。メインＣＰＵ２０は、セルフ撮影モードが設定されている場合、レリーズスイッチ１０４の全押し信号に基づいて計時を行なう。この計時中に、メインＣＰＵ２０は測光・測距ＣＰＵ１３７を介し、残り時間に合わせて点滅速度をだんだんと早めながら、セルフタイマランプ１０５ｃを点滅させる。セルフタイマ回路８３は、計時完了後に計時完了信号をメインＣＰＵ２０に入力する。メインＣＰＵ２０は、計時完了信号に基づいて、ＣＣＤ１３２にシャッタ動作を実施させる。
【００８６】
通信制御部１３９には、通信ポート１０７が備えられており、この通信制御部１３９は、カメラ１００により撮影された被写体の画像信号をＵＳＢ端子が備えられたパーソナルコンピュータ等の外部装置に出力し、およびこのような外部装置からカメラ１００に画像信号を入力することにより、その外部装置との間のデータ通信を担うものである。また、このカメラ１００は、ロール状の写真フイルムに写真撮影を行なう通常のカメラが有するＩＳＯ感度１００，２００，４００，１６００等に切り替える機能を模擬した機能を有し、ＩＳＯ感度４００以上に切り替えられた場合、白バランス・γ処理部１３３の増幅器の増幅率が所定の増幅率を越えた高増幅率に設定された高感度モードとなる。通信制御部１３９は、高感度モードでの撮影中は、外部装置との通信を停止する。
【００８７】
また、カメラ１００には、圧縮・伸長＆ＩＤ抽出部１４３と、Ｉ／Ｆ部１４４が備えられている。圧縮・伸長＆ＩＤ抽出部１４３は、バッファメモリ１３５に格納された画像データを、バスライン１４２を介して読み出して圧縮し、Ｉ／Ｆ部１４４を経由してメモリカード２００に格納する。また、圧縮・伸長＆ＩＤ抽出部１４３は、メモリカード２００に格納された画像データの読み出しにあたり、メモリカード２００固有の識別番号（ＩＤ）を抽出し、そのメモリカード２００に格納された画像データを読み出して伸長し、バッファメモリ１３５に格納する。
【００８８】
バッファメモリ１３５に格納されたＹ／Ｃ信号は、圧縮・伸長＆ＩＤ抽出部１４３によって所定のフォーマットに従って圧縮された後、Ｉ／Ｆ１４４を介してメモリカード２００のようなリムーバブルメディアないしハードディスク（ＨＤＤ）７５のような内蔵型大容量記憶媒体に所定の形式（例えばExif（Exchangeable Image File Format）ファイル）で記録される。ハードディスク（ＨＤＤ）７５へのデータ記録またはハードディスク（ＨＤＤ）７５からのデータの読込みは、メインＣＰＵ２０の指令に応じてハードディスクコントローラ７４によって制御される。
【００８９】
また、カメラ１００には、メインＣＰＵ２０と、ＥＥＰＲＯＭ１４６と、ＹＣ／ＲＧＢ変換部１４７と、表示用のドライバ１４８とが備えられている。メインＣＰＵ２０は、このカメラ１００全体の制御を行なう。ＥＥＰＲＯＭ１４６には、このカメラ１００固有の固体データやプログラム等が格納されている。ＹＣ／ＲＧＢ変換部１４７は、ＹＣ処理部１４０で生成されたカラー映像信号ＹＣを３色のＲＧＢ信号に変換して表示用のドライバ１４８を経由して画像表示ＬＣＤ１０２に出力する。
【００９０】
また、カメラ１００は、ＡＣ電源から電力を得るためのＡＣアダプタ４８と電源電池６８とが着脱可能な構成となっている。電源電池６８は充電可能な二次電池、例えばニカド電池、ニッケル水素電池、リチウムイオン電池で構成される。電源電池６８は使い切り型の一次電池、例えばリチウム電池、アルカリ電池で構成してもよい。電源電池６８は図示しない電池収納室に装填することにより、カメラ１００の各回路と電気的に接続される。
【００９１】
ＡＣアダプタ４８がカメラ１００に装填されＡＣ電源からＡＣアダプタ４８を介してカメラ１００に電力が供給される場合には、電源電池６８が電池収納室に装填されている場合であっても、優先的に当該ＡＣアダプタ４８から出力された電力がカメラ１００の各部に駆動用の電力として供給される。また、ＡＣアダプタ４８が装填されておらず、かつ電源電池６８が電池収納室に装填されている場合には、当該電源電池６８から出力された電力がカメラ１００の各部に駆動用の電力として供給される。
【００９２】
なお、図示しないが、カメラ１００には、電池収納室内に収納される電源電池６８とは別にバックアップ電池が設けられている。内蔵バックアップ電池には例えば専用の二次電池が用いられ、電源電池６８によって充電される。バックアップ電池は、電源電池６８の交換や取り外し等、電源電池６８が電池収納室に装填されていない場合、カメラ１００の基本機能に給電する。
【００９３】
即ち、電源電池６８又はＡＣアダプタ４８からの電源供給が停止すると、バックアップ電池がスイッチング回路（図示せず）によってＲＴＣ１５等に接続され、これらの回路に給電する。これにより、バックアップ電池２９が寿命に達しない限り、ＲＴＣ１５等の基本機能には、電源供給が間断なく継続する。
【００９４】
ＲＴＣ（Real Time Clock）１５は計時専用のチップであり、電源電池６８やＡＣアダプタ４８からの給電がオフされていてもバックアップ電池から電源供給を受けて継続的に動作する。
【００９５】
画像表示ＬＣＤ１０２には透過型又は半透過型の液晶パネル７１を背面側から照明するバックライト７０が配設されており、省電力モードの場合には、メインＣＰＵ２０によりそのバックライト７０の明るさ（輝度）がバックライトドライバ７２を介して制御され、バックライト７０の消費電力が低減されるようになっている。また、省電力モードは、操作部１２０の情報位置指定キー１２６を押して画像表示ＬＣＤ１０２にメニュー画面を表示させ、そのメニュー画面で所定の操作を行うことによってオン／オフを設定することができるようになっている。
【００９６】
図４はメインＣＰＵ２０の実行するプログラムをブロック図で概念的に示している。メインＣＰＵ２０は、ＥＥＰＲＯＭ１４６やハードディスク７５等のコンピュータ読み取り可能な記憶媒体に記憶されたプログラムである顔抽出部２０ａ、目領域検出部２０ｂ、目開閉検出部２０ｃ、顔判定部２０ｄ、被写体管理部２０ｅ、表示制御部２０ｆを図示しない揮発性メモリ（ＲＡＭ等）に読み出して実行する。これらをまとめて単にプログラムと呼ぶこともある。
【００９７】
顔抽出部２０ａは、ＨＤＤ７５に記憶された画像あるいはバッファメモリ１３５に逐次記憶される画像（以下、これらをまとめて元画像とも称することもある）から人物の顔部分を含む領域である顔領域を抽出する。顔領域の抽出方法としては、例えば本出願人による特開平９−１０１５７９号公報「顔領域抽出方法及び複写条件決定方法」において開示された技術を適用することができる。
【００９８】
この技術は、撮影した画像の各画素の色相が肌色の範囲に含まれるか否かを判定して肌色領域と非肌色領域とに分割すると共に、画像中のエッジを検出して画像中の各箇所をエッジ部分又は非エッジ部分に分類する。そして、肌色領域内に位置し非エッジ部分に分類された画素からなり、かつエッジ部分と判定された画素で囲まれた領域を顔候補領域として抽出し、抽出した顔候補領域が人物の顔に相当する領域かを判定し、この判定結果に基づき顔領域として抽出するものである。また、この他に、特開２００３−２０９６８３号公報や特開２００２−１９９２２１号公報に記載される方法で顔領域を抽出することもできる。
【００９９】
以下、顔抽出部２０ａが元画像から抽出した顔領域の画像を抽出顔画像という。
【０１００】
目領域検出部２０ｂは、顔抽出部２０ａが元画像から抽出した顔領域から目の存在する目領域を検出する。目領域は顔検出の結果得られる顔概略中心位置の相対的位置関係から検出することができる。
【０１０１】
目開閉検出部２０ｃは、目領域内の目が開いているか又は閉じているか、あるいは完全に開いているかまたは半開きであるかを判断する。目の開閉の判断方法は特に限定されない。例えば目開閉検出部２０ｃは、両目に相当する２つの目領域内の縦方向黒色画素数をそれぞれ検出する。そして、２つの目領域の縦方向黒色画素数に基づき、両目が開いているか否か、あるいは半開きであるか否かを判断する。
【０１０２】
顔判定部２０ｄは、顔抽出部２０ａが抽出した抽出顔画像に適合する登録顔画像を、後述するＨＤＤ７５の基本情報登録テーブル７５ａから特定し、特定した登録顔画像に対応する被写体ＩＤを特定する。登録顔画像と抽出顔画像との適合の判定は各種の顔認識技術が利用でき、例えば顔の大きさ、顔の輪郭、目の位置などから両者の適合を判定できる。
【０１０３】
図５〜７はハードディスク７５に記憶される情報を示す。図５を参照すると、ハードディスク７５には、基本情報登録テーブル７５ａが記憶されている。基本情報登録テーブル７５ａは、被写体となる個々人の顔を識別する基準となる画像である「登録顔画像」とその被写体個人の識別情報である「被写体ＩＤ」とを対応づける。「登録顔画像」及び「被写体ＩＤ」は、さらに、個人の「名前」と対応づけられている。
【０１０４】
登録顔画像は、デジタルカメラ１００を使用する撮影者が各被写体の顔を個別に撮影することで得られる。あるいは、外部のサーバやカメラなどの各種電子機器から通信ポート１０７を介してＨＤＤ７５に入力してもよい。撮影者は、被写体の顔を識別するのに十分な明瞭さと大きさで撮影し、操作部１２０から被写体の「名前」を入力する。被写体管理部２０ｅは、操作部１２０から顔画像に一意的な被写体ＩＤを付与し、入力された名前と対応づけて基本情報登録テーブル７５ａに記憶する。基本情報登録テーブル７５ａに記憶された顔画像が登録顔画像となる。基本情報登録テーブル７５ａの記憶内容は所定のメニュー操作によって液晶パネル７１に表示させることもできる。また、記憶内容の追加・変更・削除・更新も可能である。
【０１０５】
図６を参照すると、ハードディスク７５には、撮影画像一覧テーブル７５ｂが記憶されている。このテーブルは、レリーズスイッチ１０４の全押しによって得られた画像である撮影画像と、その画像から顔判定部２０ｄが特定した被写体ＩＤ（即ちその画像に写っている被写体の識別情報）と、画像中の主要被写体の被写体ＩＤであるメイン被写体ＩＤと、鑑賞・プリントに不適切なサイズで撮影された被写体の被写体ＩＤである「顔大きさＮＧ被写体ＩＤ」と、目つぶりや半目が生じている被写体の被写体ＩＤである「目ＮＧ（半目）被写体ＩＤ」と、目線が不適切な被写体の被写体ＩＤである「目線ＮＧ被写体ＩＤ」とが対応づけられて記憶されている。
【０１０６】
どの被写体の被写体ＩＤを、「メイン被写体ＩＤ」、「顔大きさＮＧ被写体ＩＤ」、「目ＮＧ（半目）被写体ＩＤ」、「目線ＮＧ被写体ＩＤ」として撮影画像一覧テーブルに記録するかは、ＣＰＵ２０の実行するソフトウェア処理によって決定されてもよいし、ユーザによる操作部１２０の任意操作によって決定されてもよい。
【０１０７】
例えば、顔判定部２０は、顔抽出部２０ａの検出した抽出顔画像が所定のサイズ（例えば１００×１００ピクセルといった絶対的な閾値、あるいは元画像に対する抽出画像の面積比といった相対的な閾値）に満たないか否かを判断する（顔サイズ判定）。所定のサイズ未満であれば、その顔領域の顔画像と一致する登録顔画像に対応した被写体ＩＤを顔大きさＮＧ被写体ＩＤとして、その画像と対応づけて撮影画像一覧テーブル７５ｂに記憶する。
【０１０８】
あるいは、顔判定部２０は、目開閉検出部２０ｃによって目が閉じていると判断した顔領域、及び／または半開きと判断した顔領域と一致する登録顔画像に対応した被写体ＩＤを目ＮＧ（半目）被写体ＩＤとして撮影画像一覧テーブル７５ｂに記憶する。
【０１０９】
また、顔判定部２０は、顔抽出部２０ａの検出した抽出顔画像を画像表示ＬＣＤ１０２に一覧表示した上で、目線の外れた抽出顔画像を操作部１２０の操作でユーザに選択させ、選択された抽出顔画像と適合する登録顔画像に対応した被写体ＩＤを目線ＮＧ被写体ＩＤとして撮影画像一覧テーブル７５ｂに記憶する。  
【０１１０】
あるいは、顔判定部２０は、レリーズスイッチ１０４の半押し時におけるＡＦ検出部１５０の合焦位置、あるいは元画像の中心近傍等、抽出顔画像が所定の位置に存在していた否かによってその抽出顔画像が主要被写体であるか否かを判断する（主要被写体判定）。ただし、抽出顔画像が単一の場合は、それが所定の位置に存在しなくても主要被写体と判断する。主要被写体であると判断した場合は、その抽出顔画像と適合する登録顔画像に対応した被写体ＩＤをメイン被写体ＩＤとして撮影画像一覧テーブル７５ｂに記憶する。
【０１１１】
なお、上記の顔抽出部２０ａ、目領域検出部２０ｂ、目開閉検出部２０ｃ、顔判定部２０ｄ、被写体管理部２０ｅ、表示制御部２０ｆ、は、メインＣＰＵ２０で実行するプログラムであるが、これらのプログラムの一部又は全部を実装した専用の半導体集積回路（ＡＳＩＣ, Application Specific Integrated Circuit）で構成する態様も可能である。こうすると、メインＣＰＵ２０の負荷が軽くなり好ましい。
【０１１２】
図７を参照すると、ハードディスク７５には、被写体別撮影枚数一覧テーブル７５ｃが記憶されている。被写体別撮影枚数一覧テーブル７５ｃは、ＨＤＤ７５に記憶された画像のうち、全ての元画像または操作部１２０から指定された所望の元画像について、登録顔画像と適合する抽出顔画像を含んだ元画像の総数を示した「撮影枚数」、顔抽出部２０ａによる顔抽出の対象とするか否かを示すフラグである「撮影対象」、その抽出顔画像が主要被写体となっている元画像の総数である「メインショット数」、その抽出顔画像と適合する登録顔画像に対応した「被写体ＩＤ」及び「名前」を対応づける。
【０１１３】
ここで、各被写体の撮影枚数の計数は、被写体管理部２０ｅが、元画像から顔抽出部２０ａの抽出した抽出顔画像のうち、ある登録顔画像と適合するものの数を、登録画像ごとに個別に合計することで行われる。また、各被写体のメインショット数の計数は、撮影時にＡＦ検出部１５０の合焦位置あるいは元画像の中心近傍等の所定位置に存在していた抽出顔画像の数を、それに適合する登録画像ごとに被写体管理部２０ｅが個別に合計することで行われる。
【０１１４】
後述するが、被写体管理部２０ｅは、「顔大きさＮＧ被写体ＩＤ」、「目ＮＧ（半目）被写体ＩＤ」、「目線ＮＧ被写体ＩＤ」として記憶されている被写体ＩＤに対応する抽出顔画像を含んだ元画像は撮影枚数の総計対象から除外することもできる。
【０１１５】
なお、図５〜７で示した各テーブルは、ＨＤＤ７５に記憶する必然性はない。例えば、メモリカード２００に記憶してもよいし、通信ポート１０７を介して接続された図示しないサーバなどに記憶してもよい。
【０１１６】
メインＣＰＵ２０の実行するプログラムの動作条件は、液晶パネル７１に表示されたグラフィカルユーザインタフェース（ＧＵＩ）の設定項目を操作部１２０で選択・指定することによって任意に設定可能である。
【０１１７】
図８は、このＧＵＩの一例である条件設定画面を示す。条件設定画面で設定できる項目としては、顔サイズ判定で用いられる、元画像に対する抽出顔画像の相対的面積比の閾値である「顔の大きさ」、半目の顔画像を抽出顔画像として有効／無効とするか否か、カメラ目線となっている抽出顔画像のみを撮影枚数およびメインショット数として算出するか否か、主要被写体となっている抽出顔画像のみをメインショット数として算出するか否か、規定の撮影枚数である「最低撮影枚数」、顔抽出部２０ａが顔領域を抽出する対象とする元画像の範囲（ここでは撮影日時の「始まり」と「終わり」）、被写体の撮影を終了する予定時刻を指定可能である。
【０１１８】
条件設定画面の設定項目とプログラムの動作条件との関係は次のようになる。顔判定部２０ｄは、ある被写体ＩＤに対応して設定された面積比の閾値を参照し、その被写体ＩＤに対応する登録顔画像の元画像に対する相対的な面積比が、その閾値を超えているか否かを判断し、超えていなければその被写体ＩＤを「顔大きさＮＧ被写体ＩＤ」として記憶する。
【０１１９】
また、目開閉検出部２０ｃは、ある被写体ＩＤに対応して「半目無効」にチェックが設定されていれば、完全に目を閉じている抽出顔画像の他、完全に目を閉じていないが完全に目を開いてもいない抽出顔画像（いわゆる半目）も、「目ＮＧ（半目）被写体ＩＤ」として記憶する。
【０１２０】
また、被写体管理部２０ｅは、ある被写体ＩＤに対応して「メインショット」にチェックが設定されている場合に限り、「メインショットＩＤ」の総数計算を行う。
【０１２１】
また、被写体管理部２０ｅは、ある被写体ＩＤに対応して１以上の「最低撮影枚数」が設定されていれば、所定のタイミングで（例えば「終了予定」で設定された時刻、あるいは撮影モードが設定されてから所定の時刻、例えば１５分が経過するごと）その被写体ＩＤに対応する「撮影枚数」を参照し、「撮影枚数」が「最低撮影枚数」未満であれば、所定の警告表示を液晶パネル７１に表示する。あるいは、図示しないスピーカで「撮影枚数」が「最低撮影枚数」未満に達していない被写体の名前を示した警告メッセージを再生してもよい。こうすれば、撮影者がいちいち撮影枚数を目視で確認しなくても、どの被写体の撮影枚数が規定枚数に達していないかを容易に認識できる。
【０１２２】
また、顔抽出部２０ａは、「始まり」と「終わり」が設定されていれば、datetimeoriginalタグなどに記録されている元画像の画像記録日時が「始まり」と「終わり」の範囲内に入っている元画像についてのみ顔抽出を行う。こうすれば、いつ撮影した画像を顔抽出の対象とするかを任意に指定でき好ましい。
【０１２３】
これらの設定項目は、被写体ＩＤごとに個別に設定可能であり、設定された項目は、各被写体ＩＤに対応する登録顔画像のみに有効である。
【０１２４】
この画面で設定された条件は、被写体ＩＤと対応づけられてＥＥＰＲＯＭ１４６等に記憶され、メインＣＰＵ２０が各プログラムを実行する際に従う条件となる。
【０１２５】
以下、図９のフローチャートに基づき、カメラ１００で実行される撮影枚数管理処理の流れを説明する。
【０１２６】
まず、Ｓ１では、予め特定されている１又は複数の被写体を撮影しようとする撮影者は、切替レバー１２２を「撮影」に設定し、それらの被写体の顔を個別に撮影する。ここでは、顔検出部２０ａが顔領域を検出できるよう、明瞭かつ適切な大きさで撮影することが好ましい。撮影された各顔画像は液晶パネル７１に表示される。被写体管理部２０ｅは、液晶パネル７１に表示された図示しないグラフィカルユーザインタフェース（ＧＵＩ）によって、被写体の「名前」の入力を受け付ける。
【０１２７】
その後、撮影した顔画像を基本情報登録テーブル７５ａに登録するか否かを確認し、登録する旨が操作部１２０から指定されると、被写体管理部２０ｅは、撮影された顔画像に一意的な被写体ＩＤを付与し、操作部１２０から入力された名前と顔画像と被写体ＩＤとを対応づけて基本情報登録テーブル７５ａに記憶する。
【０１２８】
なお、被写体管理部２０ｅが基本情報登録テーブル７５ａに記憶する顔画像は、ＣＣＤ１３２の撮像信号に基づいて得られた画像に限る必然性はない。例えば、適切な大きさ、明瞭さで撮影された顔画像であれば、通信ポート１０７を介して外部のサーバから受信したものであってもよいし、メモリカード２００から読み出したものであってもよい。顔画像を登録するＧＵＩの動作開始／終了は、撮影モードの設定中、操作部１２０の操作によって相互に切り替えることができる。
【０１２９】
Ｓ２では、引き続き撮影モードにおいて顔画像の登録のＧＵＩを無効にした状態で、顔画像登録とは無関係に撮影を行う。撮影で得られた元画像は、メモリカード２００あるいはＨＤＤ７５に記憶される。これに伴い、被写体管理部２０ｅは、新たに得られた撮影画像のファイル名を撮影画像一覧テーブル７５ｂに追加する。
【０１３０】
Ｓ３では、顔抽出部２０ａが、撮影画像から顔領域（即ち抽出顔画像）を抽出する。
【０１３１】
Ｓ４では、顔判定部２０ｄは、それぞれの抽出顔画像に適合する登録顔画像を、基本情報登録テーブル７５ａから特定する。さらに、顔判定部２０ｄは、特定した登録顔画像に対応する被写体ＩＤも特定する。顔判定部２０ｄは、特定された被写体ＩＤを元画像のファイル名と対応づけて、撮影画像一覧テーブル７５ｂの「被写体ＩＤ」に追加する。即ち、撮影の度に、撮影した画像に写っている被写体の識別情報が撮影画像一覧テーブル７５ｂに記憶される。
【０１３２】
一方、被写体別撮影枚数一覧テーブル７５ｃにおける、顔判定部２０ｄが被写体ＩＤを特定できた撮影画像の総数である「撮影枚数」をその被写体ＩＤごとに更新する。即ち、撮影の度に、これまで撮影した画像に写っている各被写体の総数が被写体別撮影枚数一覧テーブル７５ｃに記憶される。
【０１３３】
さらに、顔抽出部２０ａが撮影画像から抽出顔画像を抽出できれば、目領域検出部２０ｂによる目領域検出、および目開閉検出部２０ｃによる目領域における目つぶり判定・目の半開き判定、顔判定部２０ｄによる顔サイズ判定、顔判定部２０ｄによる主要被写体判定も行う。それらの判定が完了すれば、判定結果に応じて「メイン被写体ＩＤ」、「顔大きさＮＧ被写体ＩＤ」、「目ＮＧ（半目）被写体ＩＤ」、「目線ＮＧ被写体ＩＤ」を撮影画像一覧テーブル７５ｂに記憶する。
【０１３４】
なお、被写体別撮影枚数一覧テーブル７５ｃにおいて、「撮影対象」フラグが「ＯＦＦ」となっている被写体ＩＤについては、対応する「撮影枚数」の更新や、「メイン被写体ＩＤ」、「顔大きさＮＧ被写体ＩＤ」、「目ＮＧ（半目）被写体ＩＤ」、「目線ＮＧ被写体ＩＤ」の記憶は行わない。
【０１３５】
また、登録顔画像が撮影画像記録の前後で追加、削除、変更等変化する場合もあるから、Ｓ４の処理を任意のタイミングで再実行指示できるようにし、この再実行指示に応じて実行してもよい。あるいは元画像が追加あるいは削除されたタイミングで、Ｓ４の処理を直ちに実行してもよい。こうすれば、元画像の変動が各テーブルの記憶内容に適時に反映され好ましい。
【０１３６】
Ｓ５では、ユーザが一連の撮影を完了し、切替レバー１２２を「一覧」に切り替える。表示制御部２０ｆは、切替レバー１２２が「一覧」に切り替えられたこと応じて、「カメラモード選択画面」を液晶パネル７１に表示する。
【０１３７】
図１０はカメラモード選択画面の表示例を示す。このカメラモード選択画面では、４種類の動作を指定するボタンである「撮影カウント数一覧表示」、「各種条件設定」、「撮影カウント再実行」、「キャンセル」が表示されている。いずれのメニューも操作部の十字キー１２４等で選択・指定でき、選択されたそれぞれのモードに対応する動作が実行される。
【０１３８】
「撮影カウント再実行」はＳ４の再実行指示を与えるボタンであり、これが操作されることに応じてＳ４の処理が実行される。
【０１３９】
「撮影カウント数一覧表示」が選択されると、表示制御部２０ｆは、被写体別撮影枚数一覧テーブル７５ｃに記憶された情報を液晶パネル７１に表示する。
【０１４０】
図１１は被写体別撮影枚数一覧テーブル７５ｃの内容を一覧表示した例である。この図に示すように、液晶パネル７１には、被写体別撮影枚数一覧テーブル７５ｃで対応づけられた被写体ＩＤ、名前、撮影対象フラグ、撮影枚数、メイン被写体数からなる一覧情報が一覧形式で表示される。ここで、被写体ごとの撮影枚数の少ない順・多い順に一覧情報をソートして表示してもよい。こうすることで、どの被写体が余り撮影されていないか、あるいは多く撮影されているかが容易に認識でき、以後の撮影における被写体の撮影枚数の偏りの発生防止や是正に役立つ。
【０１４１】
この画面では、さらに、任意の一覧情報を操作部１２０から指定可能である。一覧情報を指定し、「詳細表示」ボタンを選択すると、表示制御部２０ｆは、対応する被写体の詳細な個人情報を表示する。
【０１４２】
図１２は個人情報の表示例を示す。この画面には、例えば、指定された一覧情報（被写体ＩＤ、名前、撮影枚数、メインショット数、撮影対象フラグ）に加え、登録顔画像を表示する。撮影者は、この画面を参照し、どの被写体の撮影回数が多いか少ないかを、被写体の顔や名前を見ながら確認できる。
【０１４３】
なお、この画面で表示するべき情報は、切替レバー１２２で「一覧」モードが設定されたときに表示する必然性はない。例えば、レリーズスイッチ１０４の半押し時、合焦した主要被写体について顔抽出を行い、抽出顔画像に対応する被写体ＩＤについて、対応する撮影枚数、名前、メインショット数、後述する条件設定画面で設定された最低撮影枚数等を表示してもよい。さらに、レリーズスイッチ１０４の半押し時、抽出顔画像に対応する被写体ＩＤの撮影枚数が、その被写体ＩＤに対応する最低撮影枚数に達していなければ、警告を表示したり、警告メッセージを音声により再生してもよい。
【０１４４】
この画面には、「撮影画像一覧表示」ボタンが設けられている。「撮影画像一覧表示」ボタンが選択されると、表示制御部２０ｆは、指定された一覧情報の被写体ＩＤに対応する撮影画像を一覧表示する。
【０１４５】
なお、この画面に「削除」ボタンを設け、「削除」ボタンが操作されると指定された一覧情報が削除されるようにしてもよい。
【０１４６】
図１３は撮影画像の一覧表示例を示す。この図では特に、表示制御部２０ｆは、指定された一覧情報の被写体ＩＤのうち、撮影画像一覧テーブル７５ｂに「メイン被写体ＩＤ」として記憶されている被写体ＩＤに対応する撮影画像を、「メインショット」としてその他の撮影画像と区別できるように表示する。こうすると、指定された所望の被写体が主要被写体として記憶されている撮影画像がその他の撮影画像と区別されて表示され、どの被写体がどの撮影画像に主要被写体として写っているかが一目瞭然で分かる。
【０１４７】
この画面では、撮影画像の削除整理を行うことができる。即ち、所望の撮影画像を選択し、画面上の「削除」ボタンを操作すると、選択された撮影画像がＨＤＤ７５等から削除される。
【０１４８】
なお、カメラモード選択画面で、「各種条件設定」が選択されると、目つぶり判定・目の半開き判定、顔サイズ判定その他、撮影画像一覧で表示すべき画像を絞り込む各種の条件を設定する条件設定画面（図８参照）が表示される。
【０１４９】
このカメラ１００は様々な用途に適しうるが、一例として、幼稚園の遠足において、引率の保育士が撮影者となり、写真撮影をする場面を想定してみる。通常のカメラで遠足中の園児を撮影し、遠足の終了後、どの園児がどの撮影画像に写っているかを確認する場合、写っている園児の数に偏りがあることが分かっても、遠足は終了しているのだから、その偏りを是正することはできない。また、そもそも園児の数が多ければ、どの園児が偏って撮影されているか、あるいはどの園児が余り撮影されていないかを確認する作業自体が困難である。
【０１５０】
そこで、本発明に係るカメラ１００を次のように用いる。予め園児の顔や名前等の個人情報をカメラ１００に登録しておき、条件設定画面で園児ごとに条件を設定しておく。保育士は、全員の園児を登録しておく必要はなく、自分の担当する園児だけ登録すればよい。なお、全園児の個人情報を共有データとして予め図示しないサーバ等の外部装置に記憶しておき、各保育士の所持するカメラ１００に通信ポート１０７経由でダウンロードして登録すれば、カメラ１００ごとに個別に登録する手間が省ける。
【０１５１】
遠足中に、シャッターチャンスが到来すれば、撮影者は、レリーズスイッチ１０４の半押しをする。この場合、合焦した園児の現在までの撮影枚数や名前が液晶パネル７１に表示される。撮影者は、撮影の都度、各園児の撮影枚数を確認でき、撮影枚数が多ければ他の園児を被写体とし、少なければそのままレリーズスイッチ１０４を全押しして、各園児を満遍なく撮影することができる。
【０１５２】
あるいは、いちいち撮影時に撮影枚数を確認することが煩わしければ、撮影者は、ある程度の回数を撮影した後、レバー１２２で「一覧」モードを選択すればよい。この場合、園児の一覧情報が液晶パネル７１に表示されるため、ここから所望の園児の一覧情報を指定すれば、その園児の撮影枚数等が表示される。撮影者は、各園児の個別の撮影枚数を確認し、以後、園児ごとの撮影枚数の偏りが生じないよう配慮しながら、あるいは既に生じた偏りを是正するように撮影できる。
【０１５３】
以上のような動作を繰り返して撮影を続行すれば、従来と異なり、被写体ごとの撮影枚数の偏りを可及的に防ぐことが可能である。
【図面の簡単な説明】
【０１５４】
【図１】デジタルカメラの正面図
【図２】デジタルカメラの背面図
【図３】デジタルカメラのブロック構成図
【図４】メインＣＰＵの実行するプログラムを概念的に示した図
【図５】基本情報登録テーブルの概念説明図
【図６】撮影画像一覧テーブルの概念説明図
【図７】被写体別撮影枚数一覧テーブルの概念説明図
【図８】条件設定画面の一例を示す図
【図９】撮影枚数管理処理の流れを示すフローチャート
【図１０】カメラモード選択画面の表示例
【図１１】一覧情報を表示した例
【図１２】個人情報の表示例
【図１３】撮影画像の一覧表示例
【符号の説明】
【０１５５】
２０：メインＣＰＵ、６０：レンズ鏡胴、６１：レンズカバー、６２：モータドライバ、７０：バックライト、７１：液晶パネル、７２：バックライトドライバ、８２：セルフタイマ回路、１０１：撮影レンズ、１０１ａ：ズームレンズ、１０１ｂ：フォーカスレンズ、１０５ｂ：ＡＦ補助光ランプ、１０５ｃ：セルフタイマランプ、１１０：ズーム用モータ、１１１：フォーカス用モータ、１１２：絞り用モータ、１２３：モードダイヤル、１２４：十字キー、１３１：絞り、１３２：ＣＣＤ、１３４：Ａ／Ｄ変換部、１５０：ＡＦ検出部、１５１：ＡＥ演算部
【図１】
0004661413.tif 000002
【図２】
0004661413.tif 000003
【図３】
0004661413.tif 000004
【図４】
0004661413.tif 000005
【図５】
0004661413.tif 000006
【図６】
0004661413.tif 000007
【図７】
0004661413.tif 000008
【図８】
0004661413.tif 000009
【図９】
0004661413.tif 000010
【図１０】
0004661413.tif 000011
【図１１】
0004661413.tif 000012
【図１２】
0004661413.tif 000013
【図１３】
0004661413.tif 000014